(57)【要約】【課題】カード読取装置を壁等から出っ張ることなくユーザーの見える位置に容易に取り付けできるデジタル放送対応テレビを提供する。【解決手段】デジタル放送用モニタ３と、チューナー４とは別体のデジタル放送受信を許可するための暗号キーが記憶されたカードのカード読取装置６と、カード読取装置６と信号線７ｂで接続されたチューナー４とからなり、モニタ３が浴室１内に取り付けられ、チューナー４が浴室天井裏に取り付けられ、カード読取装置６は、モニタ３に内蔵若しくは浴室１または居室５の壁に取り付けられている。【選択図】図１
2007288738.tif 000002
【特許請求の範囲】
【請求項１】
デジタル放送用モニタと、
チューナーとは別体のデジタル放送受信を許可するための暗号キーが記憶されたカードのカード読取装置と、
カード読取装置と信号線で接続されたチューナーとからなる
ことを特徴とするデジタル放送対応テレビ。
【請求項２】
前記モニタが浴室内に取り付けられ、
前記チューナーが浴室天井裏に取り付けられ、
前記カード読取装置はモニタに内蔵若しくは浴室または居室の壁に取り付けられていることを特徴とする請求項１に記載のデジタル放送対応テレビ。
【発明の詳細な説明】
【技術分野】
【０００１】
本発明は、デジタル放送対応テレビに関するものである。
【背景技術】
【０００２】
従来、特許文献１に開示されているように、浴室天井裏に電源ボックスを、浴室壁面にテレビ受像機を、脱衣室等に外部入力ジャックを設置し、外部入力ジャックには地上波デジタルチューナー等を接続することができるように構成したものが存在する。
【特許文献１】特開２００５−３０３３８２号公報
【発明の開示】
【発明が解決しようとする課題】
【０００３】
なお、デジタル放送は暗号化されて送信され、その復号にはＢ−ＣＡＳ（登録商標）カードに格納されている暗号キーを使用するため、デジタル放送を視聴するためにはチューナーにＢ−ＣＡＳ（登録商標）カードを挿入することが必須であり、従来では、チューナーにＢ−ＣＡＳ（登録商標）カードを挿入するカードスロットが一体で設けられており、チューナーは相当大型のものであり、上記特許文献１に開示されているような構成において、大型のチューナーを脱衣室等の壁面に設置すると壁面から突出してしまい、邪魔になったり見栄え性が悪く、チューナーの設置が困難を伴うという問題点があった。
また、浴室の天井裏にチューナーを設置させると、ユーザーによるカードの確認，交換，メンテナンスが容易でないという問題点があった。
【課題を解決するための手段】
【０００４】
本発明は上記従来の問題点に鑑み案出したものであって、チューナーは天井裏等に設置し、壁面には小型のカード読取装置をすっきりとした状態で設置できるデジタル放送対応テレビを提供せんとするものであり、その請求項１は、デジタル放送用モニタと、チューナーとは別体のデジタル放送受信を許可するための暗号キーが記憶されたカードのカード読取装置と、カード読取装置と信号線で接続されたチューナーとからなることである。
また、請求項２は、前記モニタが浴室内に取り付けられ、前記チューナーが浴室天井裏に取り付けられ、前記カード読取装置はモニタに内蔵若しくは浴室または居室の壁に取り付けられていることである。
【発明の効果】
【０００５】
本発明のデジタル放送対応テレビは、デジタル放送用モニタと、チューナーとは別体のデジタル放送受信を許可するための暗号キーが記憶されたカードのカード読取装置と、カード読取装置と信号線で接続されたチューナーとからなることにより、カード読取装置はチューナーと別体であるため、小型のカード読取装置は壁面等から出っ張ることなくコンパクトに設置することができ、信号線でこのカード読取装置とチューナーを接続することで良好に地上デジタル対応が可能となり、カード読取装置の故障時にはカード読取装置のみを交換すれば良いものとなる。また、カード読取装置はユーザーの見える位置に容易にすっきりとした状態で取り付けできて、ユーザーは良好にＢ−ＣＡＳ（登録商標）カードの登録や確認などの作業を行なうことができるものとなる。
【０００６】
また、前記モニタが浴室内に取り付けられ、前記チューナーが浴室天井裏に取り付けられ、前記カード読取装置はモニタに内蔵若しくは浴室または居室の壁に取り付けられていることにより、チューナーは大型であるため、デッドスペースである天井裏に取り付けることで、出っ張りなどが生じることなく良好に設置することができ、また、カード読取装置は浴室または居間の壁にコンパクトに出っ張ることなく良好に取り付けすることができ、ユーザーは見える位置でＢ−ＣＡＳ（登録商標）カードの登録などを良好に行なうことができるものとなる。
また、浴室テレビの取り付け及びチューナーの取り付けは、浴室ユニットの施工業者で施工することができ、カード読取装置は電気業者等で取り付けを行なうことができるため施工が容易なものとなる。
【実施例】
【０００７】
以下、本発明の実施例を図面に基づいて説明する。
図１は、浴室テレビの配置概略構成図であり、浴室１内には浴槽２が設けられ、浴室１の壁面には浴室テレビ（デジタル放送用モニタ）３が設置されており、この浴室テレビ３用の地上デジタル対応のチューナー４が浴室１の天井裏に設置されており、浴室１の隣室である脱衣室５の壁面にはＢ−ＣＡＳ（登録商標）カードを挿入するカードスロット（カード読取装置）６が取り付けられている。
天井裏のチューナー４と浴室１内の浴室テレビ３は信号線である中継コード７ａで接続されており、またチューナー４とカードスロット６は中継コード７ｂで接続されている。
なお、チューナー４には電源ケーブル８が接続されており、また、チューナー４からデジタル放送対応のアンテナ１０にアンテナ線９が接続されている。
【０００８】
図２は、浴室テレビ３とチューナー４とカードスロット６の配線接続状態を示すものである。
なお、チューナー４は大型のものであるが、浴室１の天井裏のデッドスペースに隠蔽状に設置することができ、また、小型のカードスロット６は、脱衣室５の壁面に出っ張ることなくすっきりとした状態で取り付けることができるものである。
また、浴室テレビ３と天井裏のチューナー４の取り付けは、浴室１を施工する浴室ユニット業者が行なうことができ、脱衣室５側のカードスロット６は、脱衣室５の壁仕上げの後に電気業者等が取り付け施工することができ、施工を容易に行なうことができるものである。
【０００９】
このようにカードスロット６をチューナー４とは分離して脱衣室５やその他の居室等の壁面のユーザーが容易に見える位置に設置することができるため、カードスロット６内に挿入されるＢ−ＣＡＳ（登録商標）カードの登録や確認などの作業は容易に行なえるものであり、浴室１の天井の点検蓋を開けて天井裏のチューナー４に触れる必要がなく、ユーザーが容易にカードの登録等の作業を行なうことができるものである。
なお、カードスロット６内に挿入されるＢ−ＣＡＳ（登録商標）カードは、接触式のＩＣカードで構成され、ＩＣチップ内にＩＤ番号と暗号キーが格納されており、このＢ−ＣＡＳ（登録商標）カードをカードスロット６内に挿入することにより、Ｂ−ＣＡＳ（登録商標）カードに格納されている暗号キーで、暗号化されて送信されるデジタル放送を復号させ、良好に浴室テレビ３でデジタル放送を視聴することができるものとなる。
【００１０】
なお、図３の分解図で示すものは、カードスロットの一例であり、この図３のカードスロットの取付状態は、図４の断面構成図に示す。
カードスロット６は、Ｂ−ＣＡＳ（登録商標）カードの挿入口６ａが開口されている水平部６ｂから上方側に傾斜して傾斜部６ｃが形成されており、水平部６ｂの上面及び下面には、それぞれ縦方向に上ブラケット１１ａと下ブラケット１１ｂが設けられており、この上ブラケット１１ａ及び下ブラケット１１ｂを図４のように脱衣室の壁５ａに形成された開口の表面にビスで固定して、脱衣室の壁５ａにカードスロット６の水平部６ｂを設置することができ、室内側からカバープレート１２を取り付けて、水平部６ｂの前面を良好にカバープレート１２で覆蓋して化粧処理することができる。なお、ブラケット１１ａ，１１ｂの突起１１ｃをカバープレート１２の係合孔１２ａに係合させてカバープレート１２を取り付けできる。
このような構造では、傾斜状の傾斜部６ｃが形成されているため、この傾斜部６ｃは壁５ａの裏側にコンパクトに埋設することができるものであり、設置状態では、脱衣室５の壁５ａには僅かに突出して挿入口６ａが配置され、すっきりとした設置状態が得られるものである。
【００１１】
次に、図５に示すようなカードスロット６を脱衣室の壁５ａに取り付けて構成しても良く、この図５のカードスロット６は、横端面に縦方向に挿入口６ａが形成されたものであり、表側の隅角部にはビス孔６ｄ，６ｄが形成されており、この各ビス孔６ｄ内にビス１３を挿入させて、ビス１３により図６に示すように壁５ａにカードスロット６を固定することができ、壁５ａに沿わせて横方向から良好に挿入口６ａ内にＢ−ＣＡＳ（登録商標）カード１５を挿入できるものである。
【００１２】
また、図７は変更例であり、図７のカードスロット６は、上面に挿入口６ａが形成されており、この挿入口６ａは開閉可能な蓋６ｅで蓋することができるように構成されており、蓋６ｅを開けて挿入口６ａ内にＢ−ＣＡＳ（登録商標）カード１５を挿入できるように構成したものである。
なお、この図７のカードスロット６においても、形成されているビス孔６ｄ内にビス１３を挿入させて、ビス１３で壁５ａに固定できるものである。
【００１３】
さらには図８の分解図で、図９の組み付け図で、また図１０の設置状態の断面図で示すように、一般のコンセントの裏側に設けられているコンセント取付枠１４を利用して、このコンセント取付枠１４に挿入口６ａの部分を嵌め込んで、壁５ａの裏側に良好にカードスロット６を設置することができ、このカードスロット６には係止爪６ｆを前面側に形成させておけば、係止爪６ｆがコンセント取付枠１４に係合されて固定されるものである。
なお、室内側にはカバープレート１２が覆設されるものである。
【００１４】
なお、図１１〜図１３に示すものは、浴室１内に設置される浴室テレビ３にカードスロット６を内蔵させた場合であり、図１１に示すように、浴室テレビ３の下部にはカードスロット６が内蔵されて、開閉可能に蓋３ａが設けられており、図１２は、蓋３ａを開けた状態の拡大図である。また図１３は、浴室の壁１ａに固設した浴室テレビ３内の下部に内蔵されているカードスロット部６の縦断面構成図であり、カードスロット部６の下端には、下向きに挿入孔６ａが形成されており、浴室テレビ３の下面側からこの挿入孔６ａ内にＢ−ＣＡＳ（登録商標）カード１５を挿入できるように構成されている。
なお、挿入孔６ａは水密性を確保するために、蓋３ａに突出形成されている突起部３ｂにオーリング３ｃを設けておき、このオーリング３ｃが蓋３ａを蓋した時に挿入孔６ａに密着して、挿入孔６ａが確実に防水化されるように構成されている。
なお、実施例では、Ｂ−ＣＡＳ（登録商標）についての説明であるが、ケーブルテレビについても同様に構成されるものである。
【図面の簡単な説明】
【００１５】
【図１】浴室テレビの構成部材の設置状態の概略構成図である。
【図２】浴室テレビの構成部材の分解構成図である。
【図３】傾斜部を有するカードスロットの斜視構成図である。
【図４】図３のカードスロットの壁への取付状態の縦断面構成図である。
【図５】カードスロットの変形例を示す斜視構成図である。
【図６】図５のカードスロットの取付状態の側面構成図である。
【図７】さらに異なるカードスロットの斜視構成図である。
【図８】さらに異なるカードスロットとコンセント取付枠の斜視構成図である。
【図９】図８のカードスロットとコンセント取付枠の組み付け図である。
【図１０】図８のカードスロットの設置状態の縦断面構成図である。
【図１１】カードスロットを内蔵した浴室テレビの斜視構成図である。
【図１２】図１１の浴室テレビの下端の蓋を開けた状態の要部拡大構成図である。
【図１３】図１１の浴室テレビを壁に設置し、カードスロット部にＢ−ＣＡＳ（登録商標）カードを挿入する作用説明断面拡大構成図である。
【符号の説明】
【００１６】
１  浴室
３  浴室テレビ（デジタル放送用モニタ）
３ａ  蓋
３ｂ  突起部
３ｃ  オーリング
４  チューナー
５  脱衣室
６  カードスロット（カード読取装置）
６ａ  挿入口
６ｂ  水平部
６ｃ  傾斜部
６ｄ  ビス孔
６ｅ  蓋
６ｆ  係止爪
７ａ，７ｂ  中継コード（信号線）
８  電源ケーブル
９  アンテナ線
１１ａ，１１ｂ  ブラケット
１２  カバープレート
１３  ビス
１４  コンセント取付枠
１５  Ｂ−ＣＡＳ（登録商標）カード
【図１】
2007288738.tif 000003
【図２】
2007288738.tif 000004
【図３】
2007288738.tif 000005
【図４】
2007288738.tif 000006
【図５】
2007288738.tif 000007
【図６】
2007288738.tif 000008
【図７】
2007288738.tif 000009
【図８】
2007288738.tif 000010
【図９】
2007288738.tif 000011
【図１０】
2007288738.tif 000012
【図１１】
2007288738.tif 000013
【図１２】
2007288738.tif 000014
【図１３】
2007288738.tif 000015